(57)【特許請求の範囲】
【請求項１】
上下配列位置に配列した第１、第２の各収納部と、前記第１、第２の各収納部を支持アームの両端部に回動自在に支持して第１の収納部と第２の収納部とを連結し、支持アームの中間部に設けた回転支点で回転することにより前記第１、第２の各収納部の上下位置を入れ換え可能に支持する収納部支持手段と、前記回転支点をその軸線と直角な向きに水平移動できるように支持する摺動支持部と、前記第２の収納部をほぼ鉛直方向に移動させる案内手段とを備え、前記第１の収納部は前面に出し入れ開口を有し、前記開口の全面または一部を開閉可能にするガード体を備えた昇降収納装置。
【請求項２】
上下配列位置において、第１、第２の収納部の上下位置を入れ換えても、支持支点の軸がほぼ垂直位置に配列する請求項１に記載の昇降収納装置。
【請求項３】
請求項１または２に記載の昇降収納装置を前面が開口したキャビネットの内部に配設した昇降収納キャビネット。
【発明の詳細な説明】
【０００１】
【発明の属する技術分野】
本発明は、上下に配列した２つの収納部を必要に応じてその上下位置をそれぞれの昇降により入れ換えられる昇降収納装置に関するものである。
【０００２】
【従来の技術】
吊り戸棚は元来、デッドスペースとなりがちな高所空間を有効に利用するのに利用されてきた。しかし、収納部が高所であるため踏み台等を用いないと物を自由に出し入れできない。近時では、吊り戸棚などの高所に設置される収納部を昇降できるように支持し、物の出し入れは下部位置で行い、収納は上部位置で行う昇降収納装置が提案され、実用されている。すなわち図１０に示すように、収納部１０１を平行リンクに構成された支持アーム１０２に支持させ、収納キャビネット１０３に内装させたものである。図中１０４は厨房装置等の作業台である。参考文献としては特開平７−１４８０２９号公報、特開平７−１４８０３１号公報他があげられる。
【０００３】
しかし、このような昇降収納装置では、昇降する高さ距離が小さいためキャビネット１０３をあまり高い位置に配置することができないという問題点があった。また、収納物により収納部１０１の重量が増したときに、上昇させるための操作に大きな力を加える必要があり、非力な女性や子供が使用するのに難があった。そして、このような昇降収納装置を図のように厨房装置等の作業台上部に設置した場合では、収納部１０１はキャビネット１０３の手前側が下降位置となるので、収納部１０１を下降させた状態では流し台等の作業台１０４での作業ができなくなるという課題があった。
【０００４】
そこで、本出願人は新たに図１１、図１２のような昇降収納装置を提案した。すなわち図１１、図１２の昇降収納装置は、互いに連携する連携手段を設けた２つの収納部を上下に配置することにより、上方の収納部を約１８０度の回動により降下させると、その勢いで下方の収納部を上昇させて上下位置を入れ換えることができるというものである。具体的には、上下に配列した第１の収納部１１１と第２の収納部１１２と、各収納部を支持支点１１３、１１４で回転自在に支持して各収納部を連結し、支持支点１１３、１１４の間に設定した回転支点１１５を中心として回転する支持部材１１６と、回転支点１１５をその軸線と直角な向きに水平方向に移動できるように支持する摺動支持部１１７と、第１の収納部１１１の背部にローラー１１８を設け、キャビネット１１９の背板１１９ａにローラー１１８を当接させる構成としたものである。１２０は収納部１１２に設けられた把手である。
【０００５】
この昇降収納装置は、使用者が把手１２０を握り、収納部１１２を前方に引き出すと、収納部１１２を支持し、収納部１１１と連結させている支持部材１１６が回転支点１１５を中心として回転するので、収納部１１２は上昇方向へ移動すると同時に収納部１１１を下降方向へと移動させる。収納部１１１の背部に設けられたローラー１１８は背板１１９ａに当接し、移動時における収納部１１１の後方への突出を許さない構成としているので、支持部材１１６は回転支点１１５を摺動支持部１１７を介して前方へ移動させ、収納部１１１、１１２の干渉を最小限に抑えながら入れ換え動作を完了する。
【０００６】
このように、本提案による昇降収納装置により、昇降する高さ距離を従来より大きく取ることが可能となり、より高い位置への設置が実現できると共に、各収納部の重量が増したときでも、一方の収納部の下降の勢いによりもう一方の収納部を上昇方向への力を軽減することができ、非力な女性や子供や高齢者にとっても使いやすい昇降収納装置を実現することが可能となった。加えて１８０度の回動により収納部の収納箱体より前方への突出分がなくなるので、収納部を下降させた状態での流し台等の作業台での作業が可能となるという効果があった。
【０００７】
【発明が解決しようとする課題】
ところが、このような上下入れ換え式の昇降収納装置は、収納部が昇降移動するため、動作中に収納物品が落下しないような配慮が必要であると同時に、収納物品の出し入れ性についても良好なことが要求されるものである。
【０００８】
本発明は上下入れ換え収納機能を生かしながら、収納物品の保管安定性や出し入れ作業性にも優れた昇降収納装置を提供するものである。
【０００９】
【課題を解決するための手段】
上記課題を解決するため、本発明の昇降収納装置は、上下に配列した第１、第２の各収納部において、水平移動と回転移動により昇降動作する第１の収納部の前方には、収納物品の落下を防止する手段を設け、鉛直方向に昇降動作する第２の収納部は前方を開放状態としている。
【００１０】
第１の収納部は、水平移動成分により前後方向に慣性力が働きやすい昇降動作特性を有しており、不安定な収納物品などは倒れやすくなりがちであるが、収納部の前方に落下防止手段を設けることにより、安心して収納することができる。また第２の収納部は、水平移動成分が無く垂直移動のみで昇降運動するが、昇降機構上、その上死点と下死点の近傍において徐動停止する動作特性を有し、急激な慣性力が働かないため収納物品が倒れる心配はほとんど無く、この収納部は前方を開放状態とし、収納物品の出し入れにおいて邪魔になるものが無い構成としており、その作業性を良好なものとしている。
【００１１】
これにより、上下入れ換え収納機能の利便性を生かしながら、収納物品の保管安定性と出し入れ性の最大効果を出現させることができる。
【００１２】
【発明の実施の形態】
本発明の請求項１にかかる昇降収納装置は、上下配列位置に配列した第１、第２の各収納部と、前記第１、第２の各収納部を支持アームの両端部に回動自在に支持して第１の収納部と第２の収納部とを連結し、支持アームの中間部に設けた回転支点で回転することにより前記第１、第２の各収納部の上下位置を入れ換え可能に支持する収納部支持手段と、前記回転支点をその軸線と直角な向きに水平移動できるように支持する摺動支持部と、一方の収納部をほぼ鉛直方向に移動させる案内手段と、前記第１の収納部は前面に出し入れ開口を有し、前記開口の全面又は一部を開閉可能にするガード体を備えたものである。
【００１３】
従って、昇降動作において前後に揺れを生じる第１の収納部は、収納物品が前方に倒れて落下しようとしても、収納部に設けた棚の前方立ち上がり部、若しくは収納部前面開口に設けられたガード体で収納物品が保持されるため収納物品の前方への落下が防止される。そして、昇降動作において揺れがなく、また急激な昇降慣性力も働かない第２の収納部は、収納物品の落下の恐れがなく、前方をほぼ開放状態にした収納構造としているため、収納物品の出し入れ性も良好なものとなる。
【００１４】
本発明の請求項２にかかる昇降収納装置は、上下配列位置において、第１、第２の収納部の上下位置を入れ換えても、支持支点の軸がほぼ垂直位置に配列する構成であり、これにより収納部を上下入れ換えても収納部が収納箱体より前方への突出することがない。
【００１５】
本発明の請求項３にかかる昇降収納キャビネットは、本発明の昇降収納装置を前面が開口したキャビネットの内部に配設することにより、キャビネット内の収納が上下入れ換え収納機能の利便性を生かしながら、収納物品の保管安定性と出し入れ性の最大効果を出現させることができるものである。
【００１６】
【実施例】
以下、本発明の実施例について図面を用いて説明する。
【００１７】
（実施例１）
図１〜図７は本発明の実施例１を示す。
【００１８】
まず、実施例１が採用している昇降機構を、図１〜図５を用いて説明する。
【００１９】
図１は本発明の実施例１における昇降機構の説明のための側方断面図である。図２は同実施例における昇降機構の正面要部断面図である。図３は同実施例における昇降機構のキャビネットを除いた状態における斜視図である。図４は一方の昇降機構を正面から見た要部断面図である。図５（ａ）〜（ｇ）は同実施例における昇降機構の入れ換え動作順序を説明する側方断面図である。
【００２０】
図１が示すように、昇降機構１は、第１の収納部２の支持支点Ｐ１と第２の収納部３の支持支点Ｐ２との間を連結する支持アーム４からなる収納部支持手段と、収納部２、３をその上下配置位置において収容し前面を開口したキャビネット５の両側板に取り付けられて前記支持アーム４の回転支点Ｏを水平方向に移動自在に支持する摺動支持部６と、第１の収納部２を回転角度にかかわらず一定の水平姿勢に維持する第１の姿勢規制手段７ａと、第２の収納部３の水平姿勢を維持する第２の姿勢規制手段７ｂと、その昇降時の移動経路を規制する案内手段８とを備えている。そして上記案内手段８を構成するガイド９ａはキャビネット５の背面に取り付けられ、ガイド９ａは第２の収納部３の背部の上下に設けられたガイドローラー９ｂを受け入れて前後の移動を阻止し、収納部３を垂直方向にだけ動くように案内する。
【００２１】
以上の昇降機構１は図２に示すように、左右対称位置に昇降機構１Ｌ、１Ｒとして配備され、各支持アーム４Ｌ、４Ｒの各回転支点Ｏ間は連結軸１０で連結され、左右の昇降機構１Ｌ、１Ｒが同期して動作するように構成されている。これにより第１、第２の各収納部２、３は左右が一体に支持され、収納物の片寄りにより荷重が左右でアンバランスな状態でも、ねじれたり傾くようなことがなく、左右の動きに差が生じるようなことが解消される。
【００２２】
図４に示す昇降機構１Ｌを例にしてさらに説明すると、支持アーム４Ｌはその回転支点Ｏに対応する中間部で連結軸１０により連結され水平移動軸１１Ｌによりキャビネット１２の側板内面に回動自在に支持され、水平移動軸１１Ｌはその上下に配したローラ１３ａ、１３ｂを摺動支持部６Ｌの上下にコの字状の断面形状に形成された凹部に装入させ、摺動支持部６Ｌを水平方向に円滑に移動できるようにされている。また、水平移動軸１１Ｌの先端には固定プーリ１４Ｌが回転支点Ｏと同心で固定されている。
【００２３】
支持アーム４Ｌの両端部の支持支点Ｐ１，Ｐ２位置に固定された軸１５Ｌａ、１５Ｌｂにはそれぞれ回転プーリ１６Ｌと回転輪１７Ｌが同心で回動自在に装着され、この回転プーリ１６Ｌには第１の収納部２が、回転輪１７Ｌには第２の収納部３が、それぞれ側板２Ｌ、３Ｌのほぼ中央部で固定支持されている。
【００２４】
上記の固定プーリ１４Ｌと回転プーリ１６Ｌは同径寸法に設定され、両者間にはタイミングベルト１８が掛け渡され、第１の姿勢規制手段７ａを構成している。
【００２５】
ここで、昇降機構１による各収納部２、３の昇降動作について図５の（ａ）〜（ｇ）に基づき説明する。
【００２６】
図５の（ａ）に示すようにキャビネット５に収納された第１の収納部２と第２の収納部３との上下位置を入れ換えるときには、ガイドローラー９ｂを持たない第１の収納部２の操作ハンドルＡを手前に引き出す。すると第１の収納部２は支持支点Ｐ１が支持アーム４の回転支点Ｏを中心として前方に回動されるので、第２の収納部３は支持支点Ｐ２が後方に回動しようとするが、第２の収納部３側はガイドローラー９ｂをガイド９ａ押し付けて受け止められていることにより垂直方向の案内を受けるので、支持アーム４が回動する動作でその回転支点Ｏを摺動支持部６内で水平方向に押し出しながら、図５（ｂ）〜（ｄ）に示すように第２の収納部３は第１の収納部２の回動に伴って垂直方向に上昇する。
【００２７】
図５（ｄ）に示す状態からさらに第１の収納部２を回動させると、前記と反対に支持アーム４の回動支点Ｏはキャビネット５庫内奥方向に引き寄せられ、図５の（ｅ）〜（ｆ）に示すように、第１の収納部２は回動しつつキャビネット５内の下方に進入して行くのに連動して、第２の収納部３は垂直方向にさらに上昇し、図５の（ｇ）に示すように第１の収納部２が第２の収納部３が元配列されていた下方位置に入ったとき、第２の収納部３は第１の収納部２が元配列されていた上方位置に上昇して、第１の収納部２と第２の収納部３との配列位置が上下入れ替わる。
【００２８】
図５の（ｇ）に示す状態から第１の収納部２を引き出し、上記操作と逆方向に回動させると、第２の収納部３は垂直方向に下降し、図５の（ｆ）〜（ａ）の逆動作でそれぞれ元の配列位置に復帰させることができる。
【００２９】
このような各収納部２、３の上下入れ換え動作において、第１の収納部２は支持アーム４によって支持支点Ｐ１に１軸で回動自在に支持されているので、支持支点Ｐ１に対する第１の収納部２の重心のずれや第１の収納部２の回動操作により水平姿勢が傾こうとする。ここで第１の収納部２に固定支持されている回転プーリ１６は回転支点Ｏにある固定プーリ１４との間でタイミングベルト１８が掛け渡され、滑りのない形で回転連動している。今、回転プーリ１６と固定プーリ１４は同径に設定しており、タイミングベルト１８は第１の収納部２が回動して支持アーム４の支持角度が変化する方向と逆の方向に同角度だけ第１の収納部２を回転させる働きを営み、結果として第１の収納部２は常にその水平姿勢を維持することができる。
【００３０】
次に前記の昇降機構をベースに、収納部に収納用の棚を配した本願発明の実施例１を図６、図７を用いて説明する。
【００３１】
なお、図６（ａ）〜（ｇ）は本実施例における入れ換え動作順序を説明する側方断面図である。図７は同実施例における昇降収納装置の正面要部断面図である。
【００３２】
第１と第２の収納部２、３は前面に開口を有する箱体で構成され、第１の収納部２の両側面には棚１９を保持する棚受け２０が取り付けられている。棚１９は棚受け２０の位置を収納部の両側面に上下配置された係止穴２１に付け替えることにより上下位置調整が可能となっている。また棚１９は前端を折り曲げ、立ち上がり部２２を形成している。
【００３３】
一方、第２の収納部３には棚２３ａ、２３ｂが設けられ、上段の棚２３ａは上下に設けられた棚受け２４の任意の位置にセットできるようになっており、棚２３ａ、２３ｂの前端部は平坦な形状としている。
【００３４】
ここで図６（ａ）〜（ｇ）の昇降動作のように、第１の収納部２は水平移動しながら回転していく昇降動作をとるが、操作ハンドルＡを急に引き出したり押し込んだりして昇降操作を行うと前後方向に大きな慣性力が働くため、細長いビンや缶などの不安定な収納物品２５は棚１９から前後方向にずれたり倒れようとする。しかしながら、棚１９には立ち上がり部２２が形成されており、収納物品２５のずれや倒れを保持し前方への落下の危険を防止する。
【００３５】
次に第二の収納部３の昇降運動は水平移動成分が無く垂直移動成分のみであるため、前後方向への慣性力が全く働かない。また垂直移動についても第二の収納部３は図６（ａ）の下死点や（ｇ）の上死点に近づくにつれ徐動運動となり停止する特性がある。すなわち、図６（ｆ）から（ｇ）の上死点への移動を見てみると、操作ハンドルＡによる操作回転角θに対し垂直移動距離Ｔは微少となり、極めてソフトな減速停止運動となる。このように第二の収納部３の昇降動作は極めて安定しており、収納物品２６はほとんど移動や落下する心配がない。そこで、第二の収納部３の棚２３は前方に立ち上がりを設けずフラットな形状としてある。よって開口面積が大きくなり、収納物品２６の出し入れ性が極めて良好なものとなる。なお、棚２３ａ、２３ｂは収納物品２６から漏れた汁垂れを防止するなどの目的で、トレイ状に周囲に小許の立ち上げ部を形成しても、収納物品２６の出し入れ性を損なうようなことはなく、ほぼ同様の作用効果が得られる。
【００３６】
なお、本実施例の棚１９、２３は棚受け２０、２４を任意の係止孔２１に付け替えることにより移動可能としているが、ビスその他の手段により固定棚としても良い。
【００３７】
（実施例２）
次に、本発明の実施例２の収納部の棚を図８、図９を用いて説明する。
【００３８】
なお、図８（ａ）〜（ｇ）は実施例２における昇降収納装置の入れ換え動作順序を説明する側面図である。図９は同実施例における昇降収納装置の正面要部断面図である。
【００３９】
なお、実施例１と同一符号のものは同一構造を有し、説明は省略する。
【００４０】
本実施例２において実施例１と異なる点は、第１の収納部２の棚１９は前方に立ち上がり部を設けず、収納部２の前面に開閉自在なガード体２７を配した点である。ガード体２７は収納部２の前面下方位置に設けられた軸２８を支点として上下方向に開閉する網形状で、キャッチ２９で閉成保持されるようになっており、このガード体２７により収納物品２５の落下が防止される。また第２の収納部３は前面を開放状態とし、収納物品２６の出し入れ性を良好なものとしているところは実施例１と同様である。
【００４１】
なお、本実施例２のガード体２７は収納部２の前面下方位置に設けられた軸２８を支点として上下方向に開閉する構成としているが、軸２８を収納部２の左右どちらか一方に設け、キャッチ２９をその相対する部分に設けて左右に開閉するものとしてもよいし、収納部２の前面をカバーし、収納物品２５の転落を防止するものであれば、ガード体２７のような網形状に限らず、どのような形状でもかまわない。要するに本願発明の目的を達成できればよいものであり、開閉方法やガード体の形状は無数にあるものと思われる。
【００４２】
【発明の効果】
以上説明したように本発明の昇降収納装置は、収納物品の出し入れし易い高さに各収納部の上下配置を簡単に上下入れ換えすることができ、これにより高所収納部や低所収納部の収納品出し入れ性が大きく向上し、空間の有効活用が促進される。また各収納部の昇降動作特性に最適な収納形態を構成しているため、極めて使い勝手や安全性の高い昇降収納装置となる。
【００４３】
すなわち、第１の収納部は、水平移動成分により前後方向に慣性力が働きやすい昇降動作特性を有しており、不安定な収納物品などは倒れやすくなりがちであるが、収納部の前方に落下防止構造を設けることにより、安心して収納することができる。また第２の収納部は、水平移動成分が無く垂直移動のみで昇降運動するが、昇降機構上、その上死点と下死点の近傍において徐動停止する動作特性を有し、急激な慣性力が働かないため収納物品が倒れる心配はほとんど無く、この収納部は前方を開放状態とし、収納物品の出し入れにおいて邪魔になるものが無い構成としており、その作業性を良好なものとしている。
【００４４】
また、出し入れ頻度の多い物品や振動や衝撃を嫌う物品、例えば食器類などは水平移動成分を持たず全面開口面積の大きい第２の収納部側に収納するようにすれば、出し入れ作業性が良くしかも安心して収納保管しておくことができるし、また例えば乾物類や貯蔵食品などの振動や衝撃に大した影響を受けない物品は第１の収納部側に収納しておけば、昇降動作中に落下する心配もなく、このように各収納部をうまく使い分けて収納することにより、極めて便利な昇降収納装置を実現することができる。
【００４５】
上記により明白なように、本発明は上下入れ換え収納機能の利便性を生かしながら、収納物品の保管安定性と出し入れ性の最大効果を出現させることができるという効果を有するものである。
【図面の簡単な説明】
【図１】  本発明の実施例１における昇降収納装置の側方断面図
【図２】  図１の昇降収納装置の正面要部断面図
【図３】  図１の昇降収納装置の斜視図
【図４】  図２の一方の昇降機構を正面から見た要部断面図
【図５】  （ａ）〜（ｇ）は図１の昇降収納装置の入れ換え動作順序を説明する側方断面図
【図６】  （ａ）〜（ｇ）は本発明の実施例１における昇降収納装置の入れ換え動作順序を説明する側方断面図
【図７】  同実施例１における昇降収納装置の正面要部断面図
【図８】  （ａ）〜（ｇ）は本発明の実施例２における昇降収納装置の入れ換え動作順序を説明する側方断面図
【図９】  同実施例２における昇降収納装置の正面要部断面図
【図１０】  従来の昇降収納装置を示す側方断面図
【図１１】  本出願人の提案する昇降収納装置を示す側方断面図
【図１２】  同昇降収納装置の入れ換え動作順序を説明する側方断面図
【符号の説明】
１  昇降機構
２  第１の収納部
３  第２の収納部
４  支持アーム（収納部支持手段）
５  キャビネット
６  摺動支持部
７ａ、７ｂ  姿勢規制手段
８  案内手段
１９、２３  棚
２２  立ち上がり部
２７  ガード体
Ｏ  回転支点
Ｐ１  第１の収納部の支持支点
Ｐ２  第２の収納部の支持支点
【図１】
0003704962.tif 000002
【図２】
0003704962.tif 000003
【図３】
0003704962.tif 000004
【図４】
0003704962.tif 000005
【図５】
0003704962.tif 000006
【図６】
0003704962.tif 000007
【図７】
0003704962.tif 000008
【図８】
0003704962.tif 000009
【図９】
0003704962.tif 000010
【図１０】
0003704962.tif 000011
【図１１】
0003704962.tif 000012
【図１２】
0003704962.tif 000013